(57)【要約】【課題】本開示の目的は、ウェットティッシュを十分に温めることが可能なウェットティッシュ加熱装置を提供する。【解決手段】ウェットティッシュを収容する収容室２３を備えた容器１１と、容器１１に設けられ、かつ、容器１１が使用場所に置かれた状態で収容室２３の側方に位置して電熱コイル１２を収容する加熱体収容部２５と、を有するウェットティッシュ加熱装置１０を構成した。【選択図】図１
0003233350.tif 000002
【実用新案登録請求の範囲】
【請求項１】
ウェットティッシュを収容する収容室を備えた容器と、
前記容器に設けられ、かつ、前記容器が使用場所に置かれた状態で前記収容室の側方に位置して加熱体を収容する加熱体収容部と、
を有する、ウェットティッシュ加熱装置。
【請求項２】
請求項１記載のウェットティッシュ加熱装置において、
前記加熱体収容部に前記加熱体が収容されている、ウェットティッシュ加熱装置。
【請求項３】
請求項１または２記載のウェットティッシュ加熱装置において、前記加熱体は、電熱コイルを含む、ウェットティッシュ加熱装置。
【請求項４】
請求項１または２記載のウェットティッシュ加熱装置において、前記加熱体は、お湯を含む、ウェットティッシュ加熱装置。
【考案の詳細な説明】
【技術分野】
【０００１】
本開示は、ウェットティッシュを温めることの可能なウェットティッシュ加熱装置に関する。
【背景技術】
【０００２】
ウェットティッシュを温めることの可能なウェットティッシュ加熱装置の一例が、特許文献１に記載されている。特許文献１に記載されたウェットティッシュ加熱装置は、ウェットティッシュを収容したウェットティッシュ容器を収納する開口部付き収納箱と、収納箱の開口部を覆う蓋体と、蓋体に設けられた加熱手段と、を備えている。
【０００３】
加熱手段はヒーターであり、ヒーターに電源コードを介して電源プラグが接続されている。また、収納箱の内部と蓋体の内部とを隔てる内蓋が設けられている。ウェットティッシュは内蓋の下に収容され、ヒーターは内蓋の上に設けられている。そして、電源プラグを電源コンセントに差し込むと、ヒーターに電力が供給されてウェットティッシュを加熱できる。
【先行技術文献】
【特許文献】
【０００４】
【特許文献１】特許第３２７８３０５号公報
【考案の概要】
【考案が解決しようとする課題】
【０００５】
本願考案者は、特許文献１に記載されたウェットティッシュ加熱装置は、ヒーターがウェットティッシュより上に設けられているため、ヒーターの熱がウェットティッシュに伝達され難く、ウェットティッシュを十分に温めることができない、という課題を認識した。
【０００６】
本開示の目的は、ウェットティッシュを十分に温めることが可能なウェットティッシュ加熱装置を提供することにある。
【課題を解決するための手段】
【０００７】
本開示は、ウェットティッシュを収容する収容室を備えた容器と、前記容器に設けられ、かつ、前記容器が使用場所に置かれた状態で前記収容室の側方に位置して加熱体を収容する加熱体収容部と、を有する。
【考案の効果】
【０００８】
本開示のウェットティッシュ加熱装置によれば、容器が使用場所に置かれた状態で収容室の側方に位置して加熱体を収容するため、加熱体でウェットティッシュを十分に温めることができる。
【図面の簡単な説明】
【０００９】
【図１】ウェットティッシュ加熱装置の実施例１であり、蓋が閉じられている状態の正面断面図である。
【図２】（Ａ）は、図１に示すウェットティッシュ加熱装置の蓋が開かれている状態の部分的な正面断面図、（Ｂ）は、図１に示すウェットティッシュ加熱装置の平面断面図である。
【図３】ウェットティッシュ加熱装置の実施例２を示す正面断面図である。
【図４】図３のIV−IV線における平面断面図である。
【図５】（Ａ）は、図１に示すウェットティッシュ加熱装置の外観を示す斜視図、（Ｂ）は、図３に示すウェットティッシュ加熱装置の外観を示す斜視図である。
【考案を実施するための形態】
【００１０】
本開示のウェットティッシュ加熱装置に含まれるいくつかの実施例を、図面に基づいて説明する。なお、ウェットティッシュ加熱装置を説明するための全図において、同一部には原則として同一の符号を付し、その繰り返しの説明は省略する。
【００１１】
（実施例１）
図１及、図２（Ａ）、図５（Ａ）に示すウェットティッシュ加熱装置１０は、容器１１、電熱コイル１２を有する。また、容器１１は、ウェットティッシュ容器１３を収容可能である。容器１１は、金属よりも熱伝導性が低い材料により構成されている。容器１１は箱形状であり、絶縁材料製、例えば、合成樹脂製、または紙製である。図２（Ｂ）のように、容器１１を平面断面視すると、容器１１の外周形状は略四角形である。容器１１は、天板１４、側板１５、底板１６及び蓋１７を有する。天板１４は、平面形状が略四角形であり、天板１４を厚さ方向に貫通する取り出し口１８が設けられている。
【００１２】
蓋１７は、天板１４に対して支持軸１９を中心として作動可能に取り付けられており、蓋１７が作動されると取り出し口１８を開閉可能である。蓋１７が取り出し口１８を開く方向に蓋１７を付勢する付勢部材２０が設けられている。付勢部材２０は、例えば、金属製のねじりコイルバネである。また、天板１４にロックレバー２１が取り付けられている。ロックレバー２１は、蓋１７に係合されて、蓋１７が取り出し口１８を閉じた状態に保持する要素である。ロックレバー２１は、金属製のスプリング２２によって付勢されている。ロックレバー２１は、使用者により操作される要素である。
【００１３】
天板の４辺に側板１５がそれぞれ接続されている。４つの側板１５及び底板１６によって、収容室２３が形成されている。４つの側板１５の内面に壁部２４が設けられている。図２（Ｂ）に示すように容器１１を平面視すると、壁部２４は、収容室２３の最も外側に環状に設けられている。壁部２４と側板１５との間に加熱体収容部２５が設けられており、壁部２４を貫通する通気孔２６が設けられている。通気孔２６は、加熱体収容部２５と収容室２３とをつなぐ。
【００１４】
加熱体収容部２５は空間であり、加熱体収容部２５に電熱コイル１２が設けられている。電熱コイル１２は、導電部材、例えば、銅線、鉄クロム線、ニクロム線、タングステン線等を螺旋状に巻いたものである。１枚の側板１５を貫通する孔２７が設けられており、容器１１の外部Ａ１から加熱体収容部２５へ電力ケーブル２８が挿入されている。電力ケーブル２８は、絶縁材料製、例えば、合成樹脂製であり、電力ケーブル２８は電熱コイル１２の一部を被覆している。
【００１５】
電力ケーブル２８のうち容器１１の外部Ａ１に配置される箇所にプラグ２９が設けられており、プラグ２９は、電源、例えば、交流電源のコンセント、または直流電源のコンセントに接続される。なお、側板１５には、図示しない出し入れ口が設けられており、電熱コイル１２を加熱体収容部２５へ出し入れできる。さらに、通気孔２６は設けられていなくてもよい。
【００１６】
４枚の側板１５枚によって補給口３０が形成されており、底板１６は補給口３０を開閉する要素である。補給口３０は、収容室２３につながる。底板１６に係合部３１が設けられ、側板１５に係合部３２が設けられている。係合部３１が係合部３２に係合されて底板１６が側板１５に取り付けられると、底板１６は補給口３０を閉じる。係合部３１が係合部３２から解放されて底板１６が側板１５から取り外されると、補給口３０が開かれる。
【００１７】
収容室２３には、ウェットティッシュ容器１３を収容可能である。ウェットティッシュ容器１３は、合成樹脂製の箱、合成樹脂製の袋、アルミニウム製の箱、アルミニウム製の袋の何れでもよい。ウェットティッシュ容器１３は、取り出し口３３を有し、取り出し口３３を開閉するシール材３４が設けられている。シール材３４は、取り出し口３３を開閉可能である。ウェットティッシュ３５が、ウェットティッシュ容器１３内に収容されている。
【００１８】
ウェットティッシュ３５は、難水溶性のティッシュペーパー（不織布）に、アルコールまたは次亜塩素酸ナトリウム等の水溶液を含ませたものである。ウェットティッシュ３５は、人体や器物の表面を拭うことで汚れ、異物を取り除くことができる他、除菌、抗菌機能、抗ウィルス機能を有していてもよい。複数のウェットティッシュ３５が折り畳まれ、かつ、互いに重ねられた状態で、ウェットティッシュ容器１３内に収容されている。それぞれのウェットティッシュ３５は、四角形である。
【００１９】
次に、ウェットティッシュ加熱装置１０の使用例を説明する。プラグ２９を電源に接続すると、電熱コイル１２に電流が流れ、電熱コイル１２の温度が上昇する。電熱コイル１２は、常温以上の温度、例えば、３０℃程度まで加熱される。電熱コイル１２の熱は、加熱体収容部２５内の空気に伝達され、その熱は、通気孔２６の空気を介して収容室２３の空気に伝達される。収容室２３の空気は温度の上昇に伴い上昇する。なお、通気孔２６が設けられていなければ、加熱体収容部２５内の空気の熱は、壁部２４を伝導され、かつ、収容室２３の空気に伝達される。
【００２０】
本実施形態では、図１のように、ウェットティッシュ加熱装置１０が使用場所３６に置かれた状態において、上下方向、具体的には、容器１１の高さ方向で、加熱体収容部２５が設けられている範囲（領域）と、収容室２３にウェットティッシュ容器１３が設けられる範囲（領域）とが、少なくとも一部で重なる。つまり、ウェットティッシュ容器１３の側方に、電熱コイル１２が位置する。このため、電熱コイル１２の熱の一部が、ウェットティッシュ容器１３に伝達され易く、ウェットティッシュを十分に温めることが可能である。
【００２１】
このようにして、容器１１内のウェットティッシュ３５が温められる。したがって、図２（Ａ）のように、使用者がロックレバー２１を操作して蓋１７を開き、かつ、シール材３４を剥がしてウェットティッシュ３５を取り出し口３３から取り出し、人体や器物の表面を拭うことができる。特に、高齢者の排泄後に、本人、家族、介護者（介助者）等がお尻を拭く場合に、お尻を拭かれた人が、ウェットティッシュ３５の冷たさを体感することを回避できる。
【００２２】
また、プラグ２９を電源から取り外して、ウェットティッシュ加熱装置１０を持ち運び、他の部屋、他の建物、他の場所に移動してから、移動先にある電源にプラグ２９を接続することができる。なお、底板１６を側板１５から取り外して、ウェットティッシュ容器１３を交換することができる。
【００２３】
（実施例２）
図３及、図４、図５（Ｂ）に示すウェットティッシュ加熱装置４０は、容器４１及び加熱体収容部４２を有する。図４のように、容器４１を平面断面視すると、容器４１の外周形状は略円形である。容器４１は、本体４３及び第１蓋部４４を有する。本体４３は、円筒形状の外筒部４５、円筒形状の内筒部４６、主底部４７、副底部４８、接続部４９を有する。
【００２４】
外筒部４５の外周面には、環状の凸部５０が中心線Ｂ１に沿った方向に間隔をおいて複数設けられている。中心線Ｂ１は、外筒部４５の中心を示す仮想線である。凸部５０は、外筒部４５の外周面から外側に向けて突出されている。複数の凸部５０は、使用者が外筒部４５を手で握る場合に、滑り止めとしての役割を果たす。外筒部４５における中心線Ｂ１に沿った方向の一方の端部に、主底部４７が接続されている。主底部４７は、円板形状である。
【００２５】
内筒部４６の外径（直径）は、外筒部４５の内径よりも小さく、内筒部４６は、外筒部４５内に配置されている。外筒部４５及び内筒部４６は、中心線Ｂ１を中心として同心状に配置されている。内筒部４６における中心線Ｂ１に沿った方向の第１端部は、接続部４９によって外筒部４５へ接続されている。内筒部４６における中心線Ｂ１に沿った方向の第２端部は、副底部４８に接続されている。副底部４８は、中心線Ｂ１に沿った方向で接続部４９と主底部４７との間に設けられている。主底部４７と副底部４８とは離間されている。内筒部４６内に収容室５１が形成されている。また、外筒部４５における接続部４９の外側に雄ねじ部５２が設けられている。
【００２６】
加熱体収容部４２は、外筒部４５と内筒部４６との間、及び副底部４８と主底部４７との間に亘って形成された空間である。図４のように、加熱体収容部４２は、外筒部４５と内筒部４６との間に環状に形成されている。接続部４９には、注入口５３が設けられており、注入口５３は加熱体収容部４２につながっている。また、注入口５３を開閉するプラグ５４が設けられている。プラグ５４は、例えば、合成ゴム製、合成樹脂製であり、プラグ５４は、注入口５３へ挿入及び抜き取りが可能である。加熱体収容部４２内には、常温よりも高温の液体、例えば、お湯（温水）Ｃ１を収容可能である。お湯Ｃ１の温度は、例えば、３０度以上である。
【００２７】
本体４３は、耐水性、及び耐熱性を有する材料、例えば、ステンレス、アルミニウム、合成樹脂脂等により構成されている。図３に示す本体４３は、外筒部４５、内筒部４６、主底部４７、副底部４８及び接続部４９が一体化された部品として図示されているが、少なくとも２個以上の部品が、溶接または半田付けにより固定して構成されていてもよい。本体４３が、少なくとも２個以上の部品を溶接または半田付けにより固定して構成されている場合、内筒部４６及び副底部４８の熱伝導性（熱伝導率）が、外筒部４５及び主底部４７の熱伝導性よりも高くなるように、内筒部４６及び副底部４８の材料、外筒部４５及び主底部４７の材料を選択することができる。
【００２８】
第１蓋部４４は、例えば合成樹脂製であり、第１蓋部４４は、天板５５、スカート部５６、第２蓋部５７及び窪み部５８を有する。スカート部５６は、天板５５の外周に接続されており、かつ、筒形状を有する。スカート部５６の内面に雌ねじ部５９が設けられている。外筒部４５とスカート部５６とを同心状に位置させ、かつ、第１蓋部４４を回転させることにより雌ねじ部５９と雄ねじ部５２とを係合させると、第１蓋部４４が本体４３に固定される。
【００２９】
第１蓋部４４が本体４３に固定されると、第１蓋部４４の内部６０と収容室５１とがつながる。第１蓋部４４が本体４３に固定されている状態で、第１蓋部４４を回転させて雌ねじ部５９を雄ねじ部５２から解放させると、第１蓋部４４を本体４３から取り外すことができる。第１蓋部４４が本体４３から取り外されると、収容室５１が本体４３の外部Ａ２につながる。
【００３０】
窪み部５８は、天板５５に接続されており、窪み部５８に取付穴６１が設けられている。シール部材６２が取付穴６１を塞いでおり、シール部材６２は、シリコンゴム製である。シール部材６２は、取り出し口６３を有する。取り出し口６３は、内部６０につながっている。第２蓋部５７は、ヒンジ６４によって第１蓋部４４に取り付けられており、第２蓋部５７はヒンジ６４を支点として作動可能である。第２蓋部５７の内面からスリーブ６８が突出されている。
【００３１】
ウェットティッシュ６５を入れた袋６６が、収容室５１に収容される。ウェットティッシュ６５は、ウェットティッシュ３５と同様の材質であり、かつ、前記水溶液を含ませてある。ウェットティッシュ６５は帯状であり、かつ、ロール状に巻かれた状態で袋６６内に入れられている。また、ウェットティッシュ６５は、巻かれた方向に沿って所定の間隔で切り取り線（破断線）が多数設けられている。袋６６は、例えば、軟質合成樹脂製である。
【００３２】
次に、ウェットティッシュ加熱装置４０の使用例を説明する。図３のように、ウェットティッシュ加熱装置４０は、主底部４７が使用場所６７に接触した状態で、使用場所６７に置かれる。図３のように、第１蓋部４４が本体４３に取り付けられ、かつ、第２蓋部５７が実線で示すように閉じられていると、スリーブ６８がシール部材６２に接触して停止している。このため、内部６０と外部Ａ２とが、第２蓋部５７によって遮断されている。
【００３３】
お湯Ｃ１の熱は、内筒部４６、副底部４８介して収容室５１内の空気に伝達される。収容室５１の空気は、温度の上昇にともない内部６０へ向けて上昇する。本実施形態では、本体４３の上下方向、具体的には、本体４３の高さ方向で、加熱体収容部４２が設けられている範囲（領域）と、収容室５１にウェットティッシュ６５が設けられる範囲（領域）とが、少なくとも一部で重なっている。つまり、ウェットティッシュ６５の側方に加熱体収容部４２が位置する。このため、お湯Ｃ１の熱の一部が、内筒部４６、副底部４８及び空気を介してウェットティッシュ６５に伝達され易く、ウェットティッシュ６５を十分に温めることが可能である。
【００３４】
使用者が、第２蓋部５７を図３の二点鎖線のように作動させると、スリーブ６８がシール部材６２から離れる。このため、使用者は、取り出し口６３から出ているウェットティッシュ６５の端部を掴んで外部Ａ２へ引き出すと、取り出し口６３を通過する場合に、シール部材６２との摩擦抵抗によって切り取り線で破断された１枚のウェットティッシュ６５を取り出すことができる。実施例２のウェットティッシュ加熱装置４０は、実施例１のウェットティッシュ加熱装置１０と同様の効果を得ることができる。第１蓋部４４を容器４１から取り外すと、袋６６及びウェットティッシュ６５を収容室５１へ出し入れすることができる。
【００３５】
（補足説明）
本実施形態で説明した事項の技術的意味の一例は、次の通りである。ウェットティッシュ加熱装置１０，４０は、ウェットティッシュ加熱装置の一例である。容器１１，４１は、容器の一例である。収容室２３，５１は、収容室の一例である。加熱体収容部２５，４２は、加熱体収容部の一例である。
【００３６】
本実施形態の本棚は、図面を用いて開示されたものに限定されるものではなく、その要旨を逸脱しない範囲で種々変更可能である。例えば、実施例１に開示された加熱体収容部に収容される加熱体は、電力の供給により発熱するものに限らず、電力の供給無しで発熱するものでもよい。電力の供給無しで発熱するものとして、例えば、使い捨てカイロ、電子レンジカイロを用いることができる。
【００３７】
使い捨てカイロは、不織布の袋、または紙の袋内に空気中で酸化発熱する鉄粉を入れたものである。電子レンジカイロは、容器中にゲル状の保温材が封入されており、使用時は電子レンジで加熱して使う方式のカイロである。また、容器１１を平面視した場合の形状は、略四角形に代えて、略円形、略楕円形等でもよい。
【００３８】
また、実施例１に記載された加熱体収容部２５には、電熱コイルに代えて、常温より高温の液体を注入してもよい。この場合、通気孔２６は設けず、壁部２４に注入口を設け、かつ、注入口を塞ぐプラグを設ける。底板１６を取り外し、プラグを抜くことにより、加熱体収容部２５に液体を出し入れすることができる。さらに、実施例１において、容器が使用場所に置かれた状態で、ウェットティッシュ容器の下に加熱材収容部が設けられていてもよい。この場合、底板に加熱材が設けられる。
【００３９】
さらに、実施例１に開示された加熱体収容部室に収容される加熱体は、電力の供給により発熱するものに限らず、電力の供給無しで発熱するものでもよい。電力の供給無しで発熱するものとして、例えば、使い捨てカイロ、電子レンジカイロを用いることができる。使い捨てカイロは、不織布の袋、または紙の袋内に空気中で酸化発熱する鉄粉を入れたものである。電子レンジカイロは、容器中にゲル状の保温材が封入されており、使用時は電子レンジで加熱して使う方式のカイロである。また、容器１１を平面視した場合の形状は、略四角形に代えて、略円形、略楕円形等でもよい。さらに、電熱コイルに電力を供給する電源が直流電源である場合、直流電源は容器１１内に設けること、または、容器１１に対して着脱可能に設けることが可能である。直流電源は、二次電池または一次電池の何れでもよい。
【００４０】
一方、実施例２に開示された容器４１を平面視した場合の形状は、略円形に代えて、略四角形、略楕円形等でもよい。さらに、実施例２に記載された加熱体収容部４２には、液体に代えて、電熱コイルを収容することも可能である。この場合、主底部４７は外筒部４５に対して着脱可能であり、加熱体収容部４２に電熱コイルを出し入れできる。また、外筒部には、電力ケーブルを通す孔が設けられる。
【産業上の利用可能性】
【００４１】
本実施形態のウェットティッシュ加熱装置は、介護等の現場において、ウェットティッシュを温めて使用する場合に利用可能である。
【符号の説明】
【００４２】
１０，４０…ウェットティッシュ加熱装置、２３，４２…収容室、２５，４２…加熱体収容部
【図１】
0003233350.tif 000003
【図２】
0003233350.tif 000004
【図３】
0003233350.tif 000005
【図４】
0003233350.tif 000006
【図５】
0003233350.tif 000007